(57)【要約】      （修正有）【課題】情報の取得にあたり、課金額についての条件を含む取得条件に基づいて取得する情報を決定することのできる情報取得端末装置を提供する。【解決手段】通信時間および通信距離の少なくとも１つに基づいて所定の課金体系に基づいて課金の行なわれる回線１４を通じて画像を取得する場合において、取得対象属性設定手段５２によって取得する画像の属性が設定され、取得条件設定手段５４によって画像を取得する際における課金額の上限を含む取得条件が設定される。取得対象決定手段５８により、取得対象属性設定手段５２によって設定された属性に合致する取得候補情報のそれぞれを取得する場合の通信条件としての課金額に基づいて、取得条件を満たす取得候補情報が取得対象として決定され、取得手段６４により、回線１４を通じて取得対象が取得されるので、課金額の上限を含む取得条件を満たしつつ、属性を満たす画像を取得することができる。【選択図】図２
2011076448.tif 000002
【特許請求の範囲】
【請求項１】
通信時間、および通信距離の少なくとも１つに基づいて所定の課金体系に基づいて課金の行なわれる回線を通じて情報を取得する情報取得端末装置であって、
取得する情報の属性を操作者の入力に応じて設定する取得対象属性設定手段と、
情報を取得する際における課金額の上限についての条件を含む取得条件を操作者の入力に応じて設定する取得条件設定手段と、
前記取得対象属性設定手段によって設定された属性に合致する取得候補情報のそれぞれを取得する場合の通信条件に基づいて、前記取得条件を満たす該取得候補情報を取得対象として決定する取得対象決定手段と、
前記回線を通じて該取得対象を取得する取得手段と、
を有することを特徴とする情報取得端末装置。
【請求項２】
前記通信条件は、前記取得候補情報を取得するための通信における通信距離、および、通信速度および該取得候補情報の大きさに基づいて算出される通信時間の少なくとも１つに基づいて、前記所定の課金体系により算出される課金額を含むこと、を特徴とする請求項１に記載の情報取得端末装置。
【請求項３】
前記取得条件設定手段によって設定される取得条件は、前記情報としてのファイルの数、および前記情報の性質、の少なくとも１つを含むこと、を特徴とする請求項１または２に記載の情報取得端末装置。
【請求項４】
前記取得対象属性設定手段によって設定される属性は、前記情報に予め関連付けられた関連情報であること、を特徴とする請求項１乃至３のいずれか１に記載の情報取得端末装置。
【請求項５】
前記取得対象決定手段は、
予め記憶された取得可能な情報のうち、前記取得対象属性設定手段によって設定された属性に合致する情報を取得候補情報として抽出する取得候補情報抽出手段と、
予め記憶された前記所定の課金体系に基づいて、該取得候補情報のそれぞれを取得する場合の前記課金額を含む通信条件を算出する通信条件算出手段と、
を有することを特徴とする請求項１乃至４のいずれか１に記載の情報取得端末装置。
【請求項６】
通信時間、および通信距離の少なくとも１つに基づいて所定の課金体系に基づいて課金の行なわれる回線を通じて情報を取得する情報取得方法であって、
取得する情報の属性を設定する取得対象属性設定工程と、
情報を取得する際における課金額についての条件を含む取得条件を設定する取得条件設定工程と、
前記取得対象属性設定工程によって設定された属性に合致する取得候補情報のそれぞれを取得する場合の通信条件に基づいて、前記取得条件を満たす該取得候補情報を取得対象として決定する取得対象決定工程と、
前記回線を通じて該取得対象を取得する取得工程と、
を有することを特徴とする情報取得方法。
【請求項７】
コンピュータに、通信時間、および通信距離の少なくとも１つに基づいて所定の課金体系に基づいて課金の行なわれる回線を通じて情報を取得させるための情報取得プログラムであって、
該コンピュータを、
取得する情報の属性を設定する取得対象属性設定手段と、
情報を取得する際における課金額についての条件を含む取得条件を設定する取得条件設定手段と、
前記取得対象属性設定手段によって設定された属性に合致する取得候補情報のそれぞれを取得する場合の通信条件に基づいて、前記取得条件を満たす該取得候補情報を取得対象として決定する取得対象決定手段と、
前記回線を通じて該取得対象を取得する取得手段と、
として機能させるための情報取得プログラム。
【発明の詳細な説明】
【技術分野】
【０００１】
本発明は、情報取得端末装置に関するものであり、特に、通信距離や通信時間に応じて課金が行なわれる回線を通じて情報を取得する情報取得端末装置、情報取得端末方法、およびコンピュータにより実行させるための情報取得端末プログラムに関するものである。
【背景技術】
【０００２】
通信時間、および通信距離の少なくとも１つに基づいて所定の課金体系に基づいて課金の行なわれる回線を通じて情報を取得する情報取得端末装置が知られている。かかる情報取得端末装置は、取得したい情報、すなわち所望の情報を保有している情報供給端末装置やサーバ装置など（以下「相手装置」という。）に対して前記回線を通して接続して通信を行ない、その所望の情報を取得する。
【０００３】
かかる情報取得端末装置においては、まず、所望の情報を保有する相手装置を特定し、その特定された相手装置に対して情報の取得のための接続を行なう。このとき、前記特定された相手装置に対応する接続のための情報が必要とされる。具体的には例えば、前記情報取得端末装置が用いる回線が公衆電話回線である場合には、前記特定された相手装置に対応する接続のための情報とはその相手装置に対応する電話番号であり、その電話番号が入力されることによって接続が行なわれる。
【０００４】
特許文献１には、通信ネットワークシステムを介して電子情報を入手しようとする場合において、電子情報の入手先の情報と対応するデータを入力することによりユーザが提供側に配信要求を送出した場合、通信ネットワークシステム上に設置されたデータ処理装置が一旦この要求を受信して配信要求されたデータを解析し、ユーザに提供側との通信接続情報を返送する技術が開示されている。
【先行技術文献】
【特許文献】
【０００５】
【特許文献１】特開２００４−１４０５０２号公報
【発明の概要】
【発明が解決しようとする課題】
【０００６】
ところで、情報取得端末装置の通信相手、すなわち、所望の情報を保有し供給する相手装置が前記情報取得端末装置と遠距離を介して存在している場合がある。また、取得する情報の情報量が大きく、通信時間が長くなる場合がある。かかる場合においては、通信距離あるいは通信時間が長くなるので、通信時間および通信距離の少なくとも１つに基づいて課金が行なわれる回線が用いられると、課金額が高額なものとなるおそれがあるという問題があった。
【０００７】
本発明は以上の事情を背景として為されたもので、その目的とするところは、情報の取得にあたり、課金額についての条件を含む取得条件に基づいて取得する情報を決定することのできる情報取得端末装置を提供することにある。
【課題を解決するための手段】
【０００８】
かかる目的を達成するための請求項１にかかる発明は、（ａ）通信時間、および通信距離の少なくとも１つに基づいて所定の課金体系に基づいて課金の行なわれる回線を通じて情報を取得する情報取得端末装置であって、（ｂ）取得する情報の属性を操作者の入力に応じて設定する取得対象属性設定手段と、（ｃ）情報を取得する際における課金額の上限についての条件を含む取得条件を操作者の入力に応じて設定する取得条件設定手段と、（ｄ）前記取得対象属性設定手段によって設定された属性に合致する取得候補情報のそれぞれを取得する場合の通信条件に基づいて、前記取得条件を満たす該取得候補情報を取得対象として決定する取得対象決定手段と、（ｅ）前記回線を通じて該取得対象を取得する取得手段と、を有することを特徴とする。
【０００９】
また、請求項６にかかる発明は、（ａ）通信時間、および通信距離の少なくとも１つに基づいて所定の課金体系に基づいて課金の行なわれる回線を通じて情報を取得する情報取得方法であって、（ｂ）取得する情報の属性を操作者の入力に応じて設定する取得対象属性設定工程と、（ｃ）情報を取得する際における課金額の上限についての条件を含む取得条件を操作者の入力に応じて設定する取得条件設定工程と、（ｄ）前記取得対象属性設定工程によって設定された属性に合致する取得候補情報のそれぞれを取得する場合の通信条件に基づいて、前記取得条件を満たす該取得候補情報を取得対象として決定する取得対象決定工程と、（ｅ）前記回線を通じて該取得対象を取得する取得工程と、を有することを特徴とする。
【００１０】
また、請求項７にかかる発明は、（ａ）コンピュータに、通信時間、および通信距離の少なくとも１つに基づいて所定の課金体系に基づいて課金の行なわれる回線を通じて情報を取得させるための情報取得プログラムであって、（ｂ）該コンピュータを、取得する情報の属性を操作者の入力に応じて設定する取得対象属性設定手段と、（ｃ）情報を取得する際における課金額の上限についての条件を含む取得条件を操作者の入力に応じて設定する取得条件設定手段と、（ｄ）前記取得対象属性設定手段によって設定された属性に合致する取得候補情報のそれぞれを取得する場合の通信条件に基づいて、前記取得条件を満たす該取得候補情報を取得対象として決定する取得対象決定手段と、（ｅ）前記回線を通じて該取得対象を取得する取得手段と、として機能させることを特徴とする。
【発明の効果】
【００１１】
請求項１にかかる情報取得端末装置、請求項６にかかる情報取得方法、あるいは請求項７にかかる情報取得プログラムによれば、通信時間、および通信距離の少なくとも１つに基づいて所定の課金体系に基づいて課金の行なわれる回線を通じて情報を取得する場合において、前記取得対象属性設定手段あるいは前記取得対象属性設定工程によって取得する情報の属性が操作者の入力に応じて設定され、前記取得条件設定手段あるいは前記取得条件設定工程によって情報を取得する際における課金額の上限を含む取得条件が操作者の入力に応じて設定される。そして、前記取得対象決定手段あるいは前記取得対象決定工程により、前記取得対象属性設定手段によって設定された属性に合致する取得候補情報のそれぞれを取得する場合の通信条件に基づいて、前記取得条件を満たす該取得候補情報が取得対象として決定され、前記取得手段あるいは前記取得工程により、前記回線を通じて該取得対象が取得される。したがって、前記課金額の上限を含む取得条件を満たしつつ、前記属性を満たす情報を取得することができる。
【００１２】
好適には、請求項２にかかる発明は、前記通信条件は、前記取得候補情報を取得するための通信における通信距離、および、通信速度および該取得候補情報の大きさに基づいて算出される通信時間の少なくとも１つに基づいて、前記所定の課金体系により算出される課金額を含むことを特徴とする。このようにすれば、前記取得候補情報のそれぞれを取得するための通信における課金額が前記取得条件に含まれる課金額の上限についての条件を満たすか否かに基づいて、前記取得対象決定手段により前記取得候補情報を取得対象とするか否かの決定が行なわれるので、前記課金額の上限を含む取得条件を満たしつつ、前記属性を満たす情報を取得することができる。
【００１３】
好適には、請求項３にかかる発明は、前記取得条件設定手段によって設定される取得条件は、前記情報としてのファイル数、および前記情報の性質の少なくとも１つを含むことを特徴とする。このようにすれば、前記課金額の上限に加え、前記ファイル数、前記情報の品質の少なくとも１つを含む取得条件を満たしつつ、前記属性を満たす情報を取得することができる。
【００１４】
好適には、請求項４にかかる発明は、前記取得対象属性設定手段によって設定される属性は、前記情報に予め関連付けられた関連情報であることを特徴とする。このようにすれば、情報の取得にあたり前記課金額の上限を含む取得条件を満たしつつ、前記情報に予め関連付けられた関連情報である属性を満たす情報を取得することができる。
【００１５】
好適には、請求項５にかかる発明は、前記取得対象決定手段は、（ａ）予め記憶された取得可能な情報のうち、前記取得対象属性設定手段によって設定された属性に合致する情報を取得候補情報として抽出する取得候補情報抽出手段と、（ｂ）予め記憶された前記所定の課金体系に基づいて、該取得候補情報のそれぞれを取得する場合の前記課金額を含む通信条件を算出する通信条件算出手段とを有することを特徴とする。このようにすれば、前記情報取得端末装置に予め記憶された取得可能な情報の一覧、および前記所定の課金体系に基づいて、前記課金額の上限を含む取得条件を満たしつつ、前記情報に予め関連付けられた関連情報である属性を満たす情報を取得することができる。
【００１６】
ここで好適には、前記回線は、公衆電話回線である。このようにすれば、通信時間、および通信距離の少なくとも１つに基づいて所定の課金体系に基づいて課金の行なわれる公衆電話回線を用いて情報を取得する際に、前記課金額を含む取得条件を満たしつつ、前記属性を満たす情報を取得することができる。また、情報を取得する際の通信先、すなわち情報を供給する側である相手装置を電話番号で識別することができるため、前記課金額を算出するための通信距離を前記相手装置の電話番号と自端末装置の電話番号とに基づいて決定しうる。
【００１７】
また好適には、前記情報は画像情報であり、前記情報の属性は、該画像情報についての関連情報である。このうち、前記画像情報についての関連情報は、具体的には例えば、前記画像の撮影地などの画像に対応する地理的情報、前記画像の撮影時期や季節などの画像に対応する時期的情報、あるいは前記画像に対して与えられた評価などの画像の評価情報であってもよい。このようにすれば、前記取得対象属性設定手段によって、取得する情報の属性をより的確に設定することができ、取得しようとする画像を操作者の意図に沿ったものとすることができる。
【００１８】
また好適には、前記情報取得端末装置は、取得した画像情報を表示するための表示手段を有したいわゆるフォトフレームである。このようにすれば、フォトフレームにおいて、前記課金額を含む取得条件を満たしつつ、前記属性を満たす情報である画像を前記回線を通して取得することができる。
【図面の簡単な説明】
【００１９】
【図１】本発明の情報取得端末装置が通信回線を介して接続される例を説明する図である。
【図２】図１の情報取得端末装置の有する構成の一例と、そのうち制御部の有する機能の概要を説明するブロック図である。
【図３】取得対象属性設定手段による属性の設定の際における情報取得端末のタッチパネルディスプレイの表示例を説明する図である。
【図４】取得条件設定手段による属性の設定の際における情報取得端末のタッチパネルディスプレイの表示例を説明する図である。
【図５】取得対象属性設定手段によって設定される属性、および取得条件設定手段５よって設定された取得条件を記憶する取得条件・属性テーブルの一例を説明する図である。
【図６】画像の性質である画質を定義する画質テーブルの一例を説明する図である。
【図７】取得候補情報抽出手段による取得候補情報の抽出、および通信条件算出手段による通信条件である課金額の算出が行なわれた管理情報を表わす取得候補情報テーブルの一例を表わす図である。
【図８】取得情報決定手段によって取得対象として決定された画像の一覧を表わす取得対象テーブルの例を示す図である。
【図９】本発明の情報取得端末装置の制御作動の一例を説明するフローチャートである。
【図１０】図９の管理情報取得処理として実行される管理情報取得ルーチンにおける制御作動の一例を説明するフローチャートである。
【図１１】図９の取得対象決定処理として実行される取得対象決定ルーチンにおける制御作動の一例を説明するフローチャートである。
【図１２】図１１のダウンロード金額計算処理として実行されるダウンロード金額計算ルーチンにおける制御作動の一例を説明するフローチャートである。
【図１３】図９の画像取得処理として実行される画像取得ルーチンにおける制御作動の一例を説明するフローチャートである。
【図１４】本発明の別の実施例における図１の情報取得端末装置の有する構成の一例と、そのうち制御部の有する機能の概要を説明するブロック図であって、図２に対応する図である。
【図１５】本発明の別の実施例における管理情報保有端末の有する構成の一例と、そのうち制御部の有する機能の概要を説明するブロック図である。
【図１６】本発明の別の実施例において、図９のフローチャートにおける管理情報取得処理として画像取得端末および管理情報保有端末の制御作動の一例を説明するフローチャートである。
【図１７】取得対象属性設定手段による属性の設定の際における情報取得端末のタッチパネルディスプレイの別の表示例を説明する図であって、図３に対応する図である。
【発明を実施するための形態】
【００２０】
以下、本発明の一実施例について、図面を参照しつつ詳細に説明する。
【実施例１】
【００２１】
図１は、本発明の一実施例である情報取得端末装置１６（以下単に「情報取得端末１６」とも表記する。）の実施態様を例示する図である。図１に示すように、情報取得端末１６は回線１４に情報の送受信可能に接続されており、同じく回線１４に情報の送受信可能に接続された他の端末である管理情報保有端末装置１７（以下単に「管理情報保有端末１７」とも表記する。）から該回線１４を介して取得可能な情報についての管理情報等を取得したり、また、同じく回線１４に情報の送受信可能に接続された情報保有端末装置１８（以下単に「情報保有端末１８」とも表記する。）から、前記管理情報に基づいてその情報保有端末１８が保有する情報を取得することができるようにされている。また、図１においては３つの情報保有端末１８ａ、１８ｂ、１８ｃがそれぞれ示されているが、情報保有端末１８の個数は単数であっても複数であってもよく、限定されない。また本明細書においては、これら複数の情報保有端末１８ａ、１８ｂ、１８ｃを区別しない場合には単に情報保有端末１８と表記する。なお、以下の実施例においては、本実施例の情報に対応するものとして、画像（例えばＪＰＥＧ（Joint Photographic Experts Group）、ＰＮＧ（Portable network graphics）、ＧＩＦ（Graphics interchange format）等のファイル形式の画像データ（画像ファイル））が用いられる。すなわち、本実施例においては情報保有端末１８が保有し、情報取得端末１６が取得する情報は画像であるが、本発明はこれに限定されるものではない。
【００２２】
ここで回線１４は通信時間、および通信距離の少なくとも１つに基づいた所定の料金体系に基づいて課金が行なわれる回線である。例えば、公衆電話回線がこれに該当する。電話回線においては、発信元および着信先のそれぞれの電話番号における市外局番、すなわち、発信元および着信先の属する地域間の距離に応じて、また、通信時間に応じて、所定の課金体系により通信料金（通話料金）が課金される。前記所定の課金体系は、具体的には例えば、市内通話であれば３分毎に８．５円、県外１００ｋｍを超える通話であれば３分毎に８４円、などのように定められている。
【００２３】
図２は、前記情報取得端末１６の構成の一例を説明するブロック図である。この図２に示すように、前記情報取得端末１６は、所定の画像を表示させると共に、利用者の接触操作に応じて入力を行うためのタッチパネルディスプレイ２６と、前記情報取得端末１６による画像表示制御をはじめとする各種制御を実行する制御部２８と、読出専用メモリであるＲＯＭ３０と、随時書込読出メモリであるＲＡＭ３２と、前記回線１４を介して前記管理情報保有端末１７、および前記情報保有端末１８との間で電話通信（通話）を行うための通信部３６と、を備えて構成されている。
【００２４】
図２に示すように、上記タッチパネルディスプレイ２６は、そのタッチパネルディスプレイ２６に所定の映像を表示させる表示部としての表示装置４０と、利用者の指や図示しない備え付けのペン等による上記タッチパネルディスプレイ２６への接触により入力を行うタッチパネル４２とを、備えて構成されている。また、上記表示装置４０による画像（映像）の表示制御を行う表示制御部４４と、上記タッチパネル４２により入力される入力情報を処理する入力制御部４６とが備えられており、それら表示制御部４４及び入力制御部４６により上記表示装置４０及びタッチパネル４２を介して上記タッチパネルディスプレイ２６による画像表示制御乃至情報入力制御が実行される。
【００２５】
前記制御部２８は、前記ＲＡＭ３２の一時記憶機能を利用しつつ前記ＲＯＭ３０に記憶された情報に基づいて中央演算処理装置であるＣＰＵにより種々の情報処理を実行する所謂マイクロコンピュータであり、上記表示制御部４４を介して前記タッチパネルディスプレイ２６（表示装置４０）に所定の画像を表示させる画像表示制御、そのタッチパネルディスプレイ２６（タッチパネル４２）への接触操作に応じて前記入力制御部４６を介して入力される入力信号を処理する入力処理制御、前記通信部３６および回線１４を介した前記管理情報保有端末１７、および前記情報保有端末１８との間の通信制御等、本実施例の情報取得端末１６の作動に関する各種制御を実行する。また、斯かる制御を行うために、制御部２８は、取得対象属性設定手段５２、取得条件設定手段５４、管理情報取得手段５６、取得対象決定手段５８、および取得手段６４等の制御機能を機能的に備えている。これらの制御機能については後述する。
【００２６】
前記ＲＡＭ３２には、自端末情報７２、取得条件・属性テーブル７４、画質テーブル７６、取得候補情報テーブル７８、取得対象テーブル８０、料金テーブル８２、取得済情報８４などが記憶される。このうち、自端末情報７２は、情報取得端末１６が前記管理情報保有端末１７および前記情報保有端末１８との間で回線１４を介して通信を行なう際に必要となる、例えば自身の画像取得端末１６が接続された回線１４における電話番号などについての情報である。取得条件・属性テーブル７４は前記取得対象属性設定手段５２および前記取得条件設定手段５４によって設定される、取得する情報の属性や、情報を取得する際における取得条件が記憶されるテーブル（表）である。画質テーブル７６は、前記取得条件テーブル７４において区分表示された取得条件を具体的な数値指標の範囲で表わすテーブルであって、本実施例においては前記取得条件が情報の性質としての画質である場合の例である。取得候補情報テーブル７８は前記管理情報取得手段５６によって取得される取得可能な情報とその情報に関連する関連情報が記憶されるテーブルである。この取得候補情報テーブル７８において、取得条件や取得対象属性に合致した候補を絞り込むことにより、取得対象となる情報を決定し得る。取得対象テーブル８０は前記取得対象決定手段５８によって実際に前記情報保有端末１８から取得するものとして決定された情報の一覧が少なくとも記憶されたテーブルである。料金テーブル８２は前記回線１４を介して電話通信を行なった場合における前記所定の課金体系が記憶されたテーブルであり、特に図示しないが、例えば通信時間および通信距離に基づいて課金額が決定できるものとされている。また、取得済情報８４は、前記取得手段６４によって前記情報保有端末１８から取得された情報そのものである。
【００２７】
以下、図２の記載に基づいて、制御部２８の有する機能について説明する。取得対象属性設定手段５２は、取得する情報の属性を設定するものである。具体的には、本実施例においては情報取得端末１６が取得する情報は画像であるので、画像の撮影地や、画像の内容を表わすものとしてその画像に関連付けられたキーワードがこれに該当する。この属性は、前記タッチパネル４２などを介して操作者によって入力される。なお、この取得対象属性設定手段５２における制御作動が取得対象属性設定工程に対応する。
【００２８】
図３は、取得対象属性設定手段５２による属性の設定の際における情報取得端末１６のタッチパネルディスプレイ２６の表示例を説明する図である。図３においては、属性は都道府県単位で表わされた地域名である場合の例が示されている。タッチパネルディスプレイ２６の表示装置４０には、属性の候補として都道府県名の一覧が選択可能に表示された入力欄９０が設けられている。操作者が京都府に関する画像を取得する場合には、タッチパネルディスプレイ２６の「京都府」と表示された部分に指先や入力用のタッチペンなどを接触させることにより、タッチパネル４２によりその「京都府」の表示が選択された旨が入力され、表示装置４０において「京都府」の表示が反転する。そして、ＯＫボタン９１へ前記指先やタッチペンが接触させられると、入力が完了し、取得対象属性設定手段５２は取得する情報の属性は「京都府」であると設定する。
【００２９】
図２に戻って取得条件設定手段５４は、情報、すなわち画像の取得の際における条件である取得条件を設計する。この取得条件は、画像の取得の際における回線１４を介した通信に対する課金額についての条件、具体的には例えば課金額の上限を含み、また、取得する画像の数（枚数）、取得する画像の性質等を含むものである。なお、この取得条件設定手段５２における制御作動が取得条件設定工程に対応する。
【００３０】
図４は、取得条件設定手段５４による属性の設定の際における情報取得端末１６のタッチパネルディスプレイ２６の表示例を説明する図である。タッチパネルディスプレイ２６の表示装置４０には、取得条件としての画像の枚数、課金額の上限をそれぞれ入力するための入力欄９２ａ、９２ｂが設けられるとともに、画像の性質として、画質を選択可能に入力する選択欄９２ｃが設けられている。操作者により所望の枚数および課金額の上限が入力欄９２ａおよび９２ｂにそれぞれ入力される。この入力は、例えばタッチパネル４２における手書き文字認識や、タッチパネルディスプレイ２６に表示されるキーボード等を利用して行なわれればよい。また、所望の画質が選択欄９２ｃから選択される。この選択は図３において属性を選択する場合と同様に行なわれればよい。そして、「ＯＫ」ボタン９３へ前記指先やタッチペンが接触させられると、入力が完了し、取得条件設定手段５４は入力された内容に従って取得条件を設定する。図４の例においては、画像の枚数として５枚、課金額の上限として４００円が入力され、画質としてＳｔａｎｄａｒｄが選択されている。
【００３１】
図５は、取得対象属性設定手段５２によって設定される属性、および取得条件設定手段５４によって設定された取得条件を記憶する取得条件・属性テーブル７４の一例を説明する図である。この取得条件・属性テーブル７４は前述のようにＲＡＭ３２に記憶されている。図５に示すように、本実施例の取得条件・属性テーブル７４においては、取得対象属性設定手段５２によって設定された属性としての地域が「京都府」と記憶され、また、取得条件設定手段５４によって設定された取得条件としての枚数が「５枚」、金額の上限が「４００円」、画質が「Ｓｔａｎｄａｒｄ」とそれぞれ記憶されている。
【００３２】
なお、本実施例においては、図４において説明したように、情報の性質を表わす画質は、「Ｅｃｏｎｏｍｙ」、「Ｓｔａｎｄａｒｄ」、「Ｆｉｎｅ」の３段階に区分されており、いずれかから選択されるようになっている。かかる場合においては、「Ｅｃｏｎｏｍｙ」、「Ｓｔａｎｄａｒｄ」、「Ｆｉｎｅ」の各区分は具体的な解像度や色数などによって定義されている。図６はこの定義を表わす画質テーブル７６の一例を説明するものである。この画質テーブル７６はＲＡＭ３２に記憶されている。図６の画質テーブル７６においては、３段階に区分された画像の画質は、例えばｄｐｉ単位（ｄｏｔ  ｐｅｒ  ｉｎｃｈ；１インチあたりのドット数）によって表わされたその画像の解像度によって定義されている。
【００３３】
図２に戻って、管理情報取得手段５６は、取得可能な情報の管理情報を取得する。本実施例においては、管理情報は、取得可能な情報である画像のＩＤすなわち画像ＩＤ、ファイル名、属性である地域、ファイルサイズ（写真サイズ）、解像度、および、その画像を保有する情報保有端末１８への接続方法についての情報、具体的には情報保有端末１８の電話番号についての情報や、サムネイル画像を含むものである。言いかえれば、この管理情報は情報保有端末１８のそれぞれどのような画像を有しているかを表わす情報である。そして、管理情報取得手段５６は、回線１４を介して管理情報保有端末１７へ管理情報の取得要求を行ない、この送信要求に対して管理情報保有端末１７から送信される管理情報を受信して、ＲＡＭ３２に一時的に記憶する。本実施例においては、管理情報は管理情報保有端末１７において蓄積されており、好適には、管理情報保有端末１７は例えば予め定められた間隔において情報保有端末１８のそれぞれに対し保有する情報についての問い合わせを行なうなどにより、その管理情報を更新するようにしてもよい。
【００３４】
取得対象決定手段５８は、前記管理情報取得手段５６によって取得された管理情報から、前記取得対象属性設定手段５２によって設定される属性、および前記取得条件設定手段５４によって設定された取得条件に基づいて、取得の対象となる情報を決定する。具体的には、取得対象決定手段５８は、前記管理情報に含まれる画像のうちから、前記属性および取得条件を満たす画像の組み合わせを抽出し、取得の対象となる画像として決定する。この取得対象決定手段５８は取得候補情報抽出手段６０と通信条件算出手段６２とを機能的に有している。この取得対象決定手段５８における制御作動が取得対象決定工程に対応する。
【００３５】
このうち、取得候補情報抽出手段６０は、前記管理情報取得手段５６によって取得された管理情報において取得可能とされた画像のうち、前記取得対象属性設定手段５２において設定された属性が一致する画像を取得候補情報として抽出する。本実施例においては、前記属性としての地域が「京都府」であるので、前記管理情報において属性が「京都府」と一致する画像を取得候補情報として抽出する。なお、管理情報において取得可能とされた画像の属性と、前記取得対象属性設定手段５２において設定された属性とが一致する画像のみならず、予め定められた所定の類似度において類似する画像についても取得候補情報として抽出されるようにしてもよい。
【００３６】
通信条件算出手段６２は、前記取得候補情報抽出手段６０によって抽出された取得候補情報のそれぞれについて、情報取得端末１６が回線１４を介してその取得候補情報のそれぞれを保有する情報保有端末１８から取得した場合の通信条件を算出する。この通信条件は、前記取得候補情報のそれぞれを取得する際における課金額を含むものであり、本実施例においては前記課金額が用いられる。具体的には通信条件算出手段６２は、前記取得候補情報のそれぞれについて、通信時間、および通信距離に応じて前記ＲＡＭ３２に記憶された料金テーブル８２を参照して課金額を算出する。ここで前記通信時間は、前記管理情報に含まれる前記取得候補情報のそれぞれのファイルサイズと、予め既知とされている通信部３６の通信速度（例えば５６ｋｂｐｓなど）とから算出される伝送に要する時間や、予め既知とされている通信部３６のネゴシエーションに要する時間などから算出される。また、前記通信距離は、前記ＲＡＭ３２に記憶された自端末情報７２としての情報取得端末１６の電話番号、および、前記管理情報に含まれる前記取得候補情報のそれぞれを保有する情報保有端末１８のそれぞれの電話番号の例えば市外局番などを前記料金テーブル８２に適用することなどによって得られる。このように、前記取得候補情報抽出手段６０において取得する情報の属性が一致するとして抽出された取得候補情報のそれぞれについて、前記通信条件算出手段６２によって取得の際における課金額が算出される。
【００３７】
図７は、前記管理情報取得手段５６によって取得された管理情報について、前記取得候補情報抽出手段６０による取得候補情報の抽出、および通信条件算出手段６２による通信条件である課金額の算出が行なわれた場合の管理情報を表わす取得候補情報テーブル７８の一例を表わす図である。この取得候補情報テーブル７８は前記ＲＡＭ３２に記憶される。図７に示すように、管理情報としてに含まれる、取得可能な画像のＩＤの画像ＩＤ、ファイル名、属性である地域、ファイルサイズ（写真サイズ）、解像度、および、その画像を保有する情報保有端末１８への接続方法についての情報、具体的には情報保有端末１８の電話番号についての情報や、サムネイル画像が記憶されている。なお、サムネイル画像を含まない画像については、サムネイル欄７８ｂにはサムネイル画像に代えて「なし」と記憶され、サムネイル画像がないことを示している。
【００３８】
本実施例においては、前述のように前記取得候補情報抽出手段６０によって、取得する画像の属性が「京都府」であるものが抽出されている。したがって、図７の取得候補情報テーブル７８においては、属性欄７８ａにおいて属性が「京都府」でないものは含まれない。また、図７の取得候補情報テーブル７８においては、各画像に対する管理情報に加え、金額欄７８ｃが設けられ、前記通信条件算出手段６２によって算出された通信条件である課金額が記憶されている。
【００３９】
取得情報決定手段５８は図７のようにして得られた取得候補情報テーブル７８を参照しつつ、前記取得条件設定手段５４において設定された取得条件を満たす画像の組み合わせを取得対象として決定する。具体的には、本実施例においては、図５に示すように取得条件・属性テーブルに取得条件が記憶されている。従って、取得対象決定手段５８は、図７の取得候補情報テーブル７８において、画質が「Ｓｔａｎｄａｒｄ」である枚数が５枚の画像を、課金額が４００円以内で取得可能な画像の組み合わせを取得対象として決定する。そして決定された画像の組み合わせについて、取得対象テーブル８０に記憶する。
【００４０】
図８は、取得情報決定手段５８によって取得対象として決定された画像の一覧を表わす取得対象テーブル８０の例を示す図である。この取得対象テーブル８０は前記ＲＡＭ３２に記憶されている。本実施例においては、図８に示すように写真ＩＤが「ＰＨ１００００２」、「ＰＨ１００００７」、「ＰＨ１００００８」、「ＰＨ１００００９」、「ＰＨ１０００１０」の５枚の画像が取得情報決定手段５８によって取得情報として決定されている。また、図８の取得対象テーブル８０においては、取得対象とされた画像の画像ＩＤに加え、その画像を保有する情報保有端末１８の電話番号が前記画像ＩＤとともに記憶されている。この電話番号は前記取得可能テーブル７８や一時記憶された管理情報などから抽出される。
【００４１】
取得手段６４は、前記取得情報決定手段５８によって取得対象として決定された画像を、回線１４を介してその画像を保有する情報保有端末１８から受信する。具体的には例えば、図８の取得対象テーブル８０に記憶された画像ＩＤのそれぞれに対応する画像を取得するために、該画像ＩＤに対応して記憶されたその画像を保有する情報保有端末１８の電話番号に電話をかける。そして、電話回線である回線１４を介して接続されたその情報保有端末１８に対しその画像ＩＤに対応する画像の送信を要求し、その情報保有端末１８から送信される画像を受信する。そして、受信された画像は取得済情報８４としてＲＡＭ３２に記憶される。これを取得対象とされた画像のそれぞれに対して繰り返し実行することにより、取得対象とされた画像の取得が修了する。この取得手段６４による制御作動が取得工程に対応する。
【００４２】
なお、本実施例において、管理情報保有端末１７は、管理情報を記憶し、情報取得端末１６からの要求に応じてその管理情報を回線１４を介して情報取得端末１６へ送信可能であれば、その構成を問うものではない。また、同様に、情報保有端末１８は、情報を記憶し、情報取得端末１６からの要求に応じてその情報を回線１４を介して情報取得端末１６へ送信可能であれば、その構成を問うものではない。
【００４３】
図９は、本実施例における情報取得端末装置１６の制御作動の概要を説明するフローチャートである。まず、取得対象属性設定手段５２に対応するステップ（以下「ステップ」を省略する。）Ｓ１においては、取得する画像（欲しい画像）の属性が設定される。この設定は、例えば、タッチパネル２６に対する操作者の入力を受け付けることにより行なわれる。
【００４４】
取得条件設定手段５４に対応するＳ２においては、画像を取得する際の取得条件が設定される。この取得条件は画像を取得する際の回線を介した通信における課金額の上限についての条件を含む。この取得条件の設定は例えば、タッチパネル２６に対する操作者の入力を受け付けることにより行なわれる。
【００４５】
管理情報取得手段５６、および、取得対象決定手段５８の取得候補情報抽出手段６０に対応するＳ３においては、管理情報保有端末１７が保有する管理情報が回線１４を介して取得されるための管理情報取得ルーチンが実行される。この管理情報は、回線１４を介して取得可能な情報である画像について、それらの画像のＩＤすなわち画像ＩＤ、ファイル名、属性である地域、ファイルサイズ（写真サイズ）、解像度、および、その画像を保有する情報保有端末１８への接続方法についての情報、具体的には情報保有端末１８の電話番号についての情報や、サムネイル画像を含む。取得された管理情報は、情報取得端末１６のＲＡＭ３２などに保存される。
【００４６】
図１０はこの管理情報取得ルーチンにおける制御作動の一例を説明するフローチャートである。まずＳＡ１においては、情報取得端末１６の通信部３６から管理情報保有端末１７に対し回線１４を介した通信の確立が行われる。具体的には本実施例においては回線１４は公衆電話回線であるので、管理情報保有端末１７に対応する電話番号に対し発信が行われ、情報取得端末１６と管理情報保有端末１７との間で情報の送受信が可能な状態とされる。
【００４７】
ＳＡ２においては、ＳＡ１で回線１４を用いて、回線１４を介して取得可能な情報である画像の管理情報が取得される。そして、管理情報が管理情報保有端末１７から情報取得端末１６へ送信が完了されると、続くＳＡ３において、管理情報保有端末１７と情報取得端末１６との間で接続された回線１４が切断される。図１０の管理情報取得ルーチンにおいて、ＳＡ１乃至ＳＡ３が管理情報取得手段５６に対応する
【００４８】
ＳＡ４においては、図９のＳ１において設定された画像の属性、すなわち取得条件・属性テーブル７４に記憶された内容に基づいて、ＳＡ２で取得された管理情報から抽出が行われる。具体的には、ＳＡ２で取得された管理情報に含まれる取得可能な画像の属性が、Ｓ１において設定された画像の属性と一致、もしくは所定の類似度において類似する画像のみを抽出する作業が行われる。なお、所定の類似度において類似するとは、たとえば本実施例においては、画像の属性は撮影地などを表す都道府県名であるので、隣接する、あるいは同一の地方に属する都道府県名を含む、などの例によればよい。また、属性に一般名称が用いられる場合などにおいては、表記の揺れや、同一概念の別の名称が含まれるようにすればよい。本ステップにおいて管理情報から抽出された画像が取得候補情報となる。
【００４９】
ＳＡ５においては、ＳＡ４で抽出された管理情報が取得候補情報テーブル７８に記憶される。なお、図１０の管理情報取得ルーチンにおいて、ＳＡ４乃至ＳＡ５が取得対象決定手段５８の取得候補情報抽出手段６０に対応する。
【００５０】
図９に戻って、取得対象決定手段５８に対応するＳ４においては、取得対象となる画像を決定するための取得対象決定ルーチンが実行される。図１１はこの取得対象決定ルーチンにおける制御作動の一例を説明するフローチャートである。
【００５１】
ＳＢ１においては、ＳＡ４において抽出され、ＳＡ５において取得候補情報テーブル７８として記憶された画像のそれぞれについて、情報取得端末１６が回線１４を介してその画像のそれぞれを保有する情報保有端末１８から取得した場合の通信条件が算出されるダウンロード金額（課金額）計算ルーチンが実行される。
【００５２】
図１２はこのダウンロード金額計算ルーチンにおける制御作動の一例を説明するフローチャートであって、取得対象決定手段５８の通信条件算出手段６２に対応する。まずＳＣ１においては、取得候補情報テーブル７８から１件の画像についての管理情報が読み込まれる。
【００５３】
ＳＣ２においては、ＳＣ１で読み込まれた管理情報とあらかじめ記憶されている自端末情報７２とに基づいて、ＳＣ１で読み込まれた管理情報に対応する画像を取得する際の通信における課金額（通信費）が算出される。具体的には、前記画像を保有する情報保有端末１８と情報取得端末１６の電話番号の市外局番などに基づいて、両者間における回線１４を介した通信における課金体系が料金テーブル８２から選択され、また、両者間における回線１４を介した通信におけるあらかじめ記憶された通信速度と前記画像のファイルサイズとから算出される送受信に要する時間や、あらかじめ実験的に得られるなどしている両者間における回線１４を介したネゴシエーションなどの通信準備に要する時間などに基づいて、回線１４の接続から切断までに要する通信時間が算出される。そして、前記選択された課金体系においてその通信時間に対応する課金額が算出される。
【００５４】
ＳＣ３においては、ＳＣ２において算出された通信条件としての課金額が、取得候補情報テーブル７８に設けられた金額欄７８ｃに記憶される。
【００５５】
ＳＣ４においては、取得候補情報テーブル７８に記憶されている画像においてＳＣ１乃至ＳＣ３の処理が実行されていないものが存在するか否かが判断される。すなわち、取得候補情報テーブル７８に記憶されているすべての画像に対してＳＣ１乃至ＳＣ３の処理が実行された場合には本ステップの判断が肯定されてＳＣ１以降が未だ実行されていない画像に対してＳＣ１乃至ＳＣ３の処理が実行される。また、取得候補情報テーブル７８に記憶されているすべての画像に対してＳＣ１乃至ＳＣ３の処理が実行された場合には本ステップの判断が否定されて、本ルーチンが終了される。
【００５６】
図１１に戻って、ＳＢ２においては、本ルーチンにおいて課金額の合計を表す変数ＴＥＭＰ合計金額の値が初期化され、０とされる。また、ＳＢ３においては、本ルーチンにおいて取得する画像の枚数（ファイル数）を表す変数ＴＥＭＰ合計枚数が初期化され、０とされる。
【００５７】
ＳＢ４においては、取得候補情報テーブル７８から、１件の画像についての管理情報が読み出される。
【００５８】
ＳＢ５においては、画像の取得の際の取得条件として、画像の画質についての条件が指定されているか否かが、取得条件・属性テーブル７４を参照して判断される。画質が取得条件として指定されている場合、すなわち、取得条件・属性テーブル７４に画質についての条件が記憶されている場合には、本ステップの判断が肯定され、ＳＢ６が実行される。また、画質が取得条件として指定されていない場合には、ＳＢ７が実行される。
【００５９】
ＳＢ６においては、ＳＢ４で読み込まれた画像の管理情報に記憶された画質が、指定された画質についての条件を満たすか否かが判断される。この判断は、たとえば、取得候補情報テーブル７８の解像度欄７８ｄに記憶された解像度に基づいて、画質テーブル７６に記憶された３区分の画質のいずれに該当するかの判断が行われ、続いて、判断された画質と取得条件・属性テーブル７４に記憶された画質とが一致するか否かに基づいて行われる。ＳＢ４で読み込まれた画像の管理情報に記憶された画質が、指定された画質についての条件を満たす場合には、本ステップの判断が肯定され、ＳＢ７が実行される。一方、ＳＢ４で読み込まれた画像の管理情報に記憶された画質が、指定された画質についての条件を満たさない場合には、本ステップの判断が否定され、ＳＡ４で読み込まれた管理情報に対応する画像は、取得の対象とされず、ＳＢ１２が実行される。
【００６０】
ＳＢ７においては、ＳＢ４で読み込まれた管理情報のうち、金額欄７８ｃ（図７参照）に記憶された課金額が変数ＴＥＭＰ合計金額に加算される。また、ＳＢ８においては、変数ＴＥＭＰ合計枚数に１が加算される。これらの処理は、ＳＢ４で読み込まれた管理情報に対応する画像を取得するとした場合における課金額の合計金額、および取得する画像の合計枚数を算出することに対応する。
【００６１】
ＳＢ９においては、変数ＴＥＭＰ合計金額が、取得条件として設定された課金額の上限（指定金額）を上回ったか（超えたか）が判断される。この課金額の上限はたとえば取得条件・属性テーブル７４に記憶されており、これを参照することにより得られる。変数ＴＥＭＰ合計金額が課金額の上限を上回った場合には、本ステップの判断が肯定され、ＳＢ４で管理情報が読み込まれた画像が取得対象に加えられることなく本フローチャートが終了させられる。
【００６２】
ＳＢ１０においては、変数ＴＥＭＰ合計枚数が、取得条件として設定された取得する画像の枚数を上回ったか（超えたか）が判断される。この前記取得する画像の枚数はたとえば取得条件・属性テーブル７４に記憶されており、これを参照することにより得られる。変数ＴＥＭＰ合計枚数が前記取得する画像の枚数を上回った場合には、本ステップの判断が肯定され、ＳＢ４で管理情報が読み込まれた画像が取得対象に加えられることなく本フローチャートが終了させられる。
【００６３】
ＳＢ１１においては、ＳＢ４で管理情報が読み込まれた画像が取得対象に加えられる。具体的には、本実施例においては、ＳＢ４で管理情報が読み込まれた画像について、その画像ＩＤと、その画像を保有する情報保有端末１８の電話番号とが、取得対象テーブル８０に記憶させられる。
【００６４】
ＳＢ１２においては、取得候補情報テーブル７８に記憶された画像のうち、ＳＢ４乃至ＳＢ１１の処理が行なわれていない画像が存在するか否かが判断される。取得候補情報テーブル７８に記憶された画像のうちＳＢ４乃至ＳＢ１１の処理が行なわれていない画像が存在する場合には、本ステップの判断が肯定されて、未だＳＢ４乃至ＳＢ１１の処理が行なわれていない画像に対して処理が行なわれる。一方、取得候補情報テーブル７８に記憶された画像のすべてに対してＳＢ４乃至ＳＢ１１の処理が行なわれた場合には、本ステップの判断が否定されて、本ルーチンが終了させられる。
【００６５】
図９に戻って、取得手段６４に対応するＳ５においては、取得対象とされた画像を取得するための画像取得ルーチンが行なわれる。図１３はこの画像取得ルーチンにおける制御作動の一例を説明するフローチャートである。
【００６６】
まずＳＤ１においては、図１２の取得対象決定ルーチンにおいて作成された、取得対象である画像の一覧が記憶された取得対象テーブル８０が、それらの画像を保有する情報保有端末１８の電話番号によってソートされる。これにより後述するように、同一の情報保有端末１８から複数の画像を取得する場合において、１回の回線１４の接続によって複数の画像を取得することが可能になり、接続ごとに課金が行なわれる場合に課金額を低減することが可能となる。
【００６７】
ＳＤ２においては、取得対象テーブル８０から１件の画像が選択されてその画像ＩＤおよび、その画像を保有する情報保有端末１８の電話番号が読み込まれる。そして、ＳＤ３においては、情報取得端末１６の通信部３６から情報保有端末１８に対し回線１４を介した通信の確立が行われる。具体的には、ＳＤ２で読み込まれた電話番号に対し発信が行われ、情報取得端末１６と情報保有端末１８との間で公衆電話回線である回線１４を介して情報の送受信が可能な状態とされる。
【００６８】
ＳＤ４においては、情報取得端末１６において、情報保有端末１８からＳＤ２で読み込まれた画像ＩＤの画像が取得される。具体的にはたとえば、ＳＤ２で読み込まれた画像の画像ＩＤを用いて情報取得端末１６から情報保有端末１８において画像の送信要求が行なわれ、その送信要求に対して該当する画像が情報保有端末１８から情報取得端末１６に送信されることによって行なわれる。本ステップにおいて取得された画像は取得済情報８４として情報取得端末１６のＲＡＭ３２などに記憶される。
【００６９】
ＳＤ５においては、取得対象テーブル８０に記憶された画像のうち、ＳＤ３乃至ＳＤ４の取得処理が行なわれていないものが存在するか否かが判断される。取得対象テーブル８０に記憶された画像のうち、ＳＤ３乃至ＳＤ４の取得処理が行なわれていないものが存在する場合には、本ステップの判断が肯定され、ＳＤ７以降が実行される。一方取得対象テーブル８０に記憶された画像のすべてについてＳＤ３乃至ＳＤ４の取得処理が行なわれている場合には、本ステップの判断は否定されて、ＳＤ６が実行される。
【００７０】
ＳＤ５の判断が否定された場合に実行されるＳＤ６においては、ＳＤ３で接続された回線１４の切断が行なわれた後、本ルーチンが終了させられる。
【００７１】
ＳＤ５の判断が肯定された場合に実行されるＳＤ７においては、取得対象テーブルから未だＳＤ３乃至ＳＤ４の処理が行なわれていない別の画像が選択されて、その画像ＩＤおよびその画像を保有する情報保有端末１８の電話番号が読み込まれる。
【００７２】
ＳＤ８においては、ＳＤ７において読み込まれた電話番号と、直前に読み込まれた電話番号、すなわち、現在回線１４を介して接続されている接続先の電話番号とが同一であるか否かが判断される。ＳＤ７において読み込まれた電話番号と、現在の接続先の電話番号とが同一である場合には、本ステップの判断が肯定され、ＳＤ７で選択された画像の取得のためにＳＤ４が実行される。すなわち、同一の接続先である情報保有端末１８から複数の画像を取得する場合に、既に接続が確立されている回線１４が切断され、再度接続を行なわれることがない。ＳＤ７において読み込まれた電話番号と、現在の接続先の電話番号とが同一でない場合には、本ステップの判断が否定され、ＳＤ９が実行される。
【００７３】
ＳＤ９においては、既に接続が行なわれている回線１４が切断される。回線１４が切断された後、ＳＤ３が実行され、ＳＤ７において読み込まれた電話番号の情報保有端末１８、それまでの接続先とは異なる情報保有端末１８との接続を行なわれる。
【００７４】
前述の実施例によれば、通信時間、および通信距離の少なくとも１つに基づいて所定の課金体系に基づいて課金の行なわれる回線１４を通じて画像を取得する場合において、取得対象属性設定手段５２によって取得する画像の属性が操作者の入力に応じて設定され、取得条件設定手段５４によって画像を取得する際における課金額の上限を含む取得条件が操作者の入力に応じて設定される。そして、取得対象決定手段５８により、取得対象属性設定手段５２によって設定された属性に合致する取得候補情報のそれぞれを取得する場合の通信条件としての課金額に基づいて、前記取得条件を満たす該取得候補情報が取得対象として決定され、取得手段６４により、回線１４を通じて取得対象が取得される。したがって、課金額の上限を含む取得条件を満たしつつ、前記属性を満たす画像を取得することができる。
【００７５】
また、前述の実施例によれば、前記通信条件は、取得候補情報を取得するための通信における通信距離、および、通信速度および取得候補情報の大きさに基づいて算出される通信時間の少なくとも１つに基づいて、料金テーブル８２に記憶された所定の課金体系により算出される課金額を含むので、取得候補情報のそれぞれを取得するための通信における課金額が取得条件に含まれる課金額の上限についての条件を満たすか否かに基づいて、取得対象決定手段５８により取得候補情報を取得対象とするか否かの決定が行なわれるので、課金額の上限を含む取得条件を満たしつつ、属性を満たす画像を取得することができる。
【００７６】
また、前述の実施例によれば、取得条件設定手段５４によって設定される取得条件は、情報のファイル数すなわち画像の枚数、および情報の性質としての画質の少なくとも１つを含むので、課金額の上限に加え、画像の枚数、画質の少なくとも１つを含む取得条件を満たしつつ、属性を満たす画像を取得することができる。
【００７７】
また、前述の実施例によれば、取得対象属性設定手段５２によって設定される属性は、画像に予め関連付けられた関連情報としての地名であるので、画像の取得にあたり課金額の上限を含む取得条件を満たしつつ、画像に予め関連付けられた地名としての属性を満たす画像を取得することができる。
【００７８】
また、前述の実施例によれば、取得対象決定手段５８は、予め記憶された取得可能な画像のうち、取得対象属性設定手段５２によって設定された属性に合致する画像を取得候補情報として抽出する取得候補情報抽出手段６０と、予め記憶された所定の課金体系に基づいて、取得候補情報のそれぞれを取得する場合の課金額を含む通信条件を算出する通信条件算出手段６２とを有するので、情報取得端末装置１６に記憶された取得可能な画像の一覧としての管理情報、および料金テーブル８２として記憶された所定の課金体系に基づいて、課金額の上限を含む取得条件を満たしつつ、画像に予め関連付けられた属性を満たす画像を取得することができる。
【００７９】
続いて、本発明の別の実施例について説明する。以下の説明において、実施例相互に共通する部分については、同一の符号を付して説明を省略する。
【実施例２】
【００８０】
図１４は、本発明の別の実施例における情報取得端末１６の構成と、その制御部２８の有する制御機能の概要を説明するブロック図である。図１４は、前述の実施例の図２に対応する。図２と図１４とを比較すると、本実施例の情報取得端末１６は、料金情報算出手段５６、取得対象決定手段５８を有さない一方、管理情報取得指示手段１０２、および取得対象管理情報取得手段１０４を有する点において異なる。
【００８１】
このうち、管理情報取得指示手段１０２は、取得対象属性設定手段５２において設定された取得する画像の属性と、取得条件設定手段５４において設定された取得条件とを後述する管理情報保有端末１７に対して送信する。そして、回線１４を介して取得可能な画像のうち、それらの属性および取得条件を満たす画像についての管理情報、すなわち取得対象管理情報を折り返し情報取得端末１６に返信するように管理情報保有端末１７に指示を行なう。このとき、前記情報取得端末１６のＲＡＭ３２に記憶された自端末情報７２としての情報取得端末１６の電話番号など、後述する管理情報保持端末１７の取得対象決定手段１２２において必要とされる情報も送信される。
【００８２】
取得対象管理情報取得手段１０４は、前記管理情報取得指示手段１０２による管理情報保有端末１７への指示に基づいて、その管理情報保有端末１７から返信される取得対象管理情報を取得する。また、取得した取得対象管理情報は、ＲＡＭ３２の取得候補情報テーブル７８として保存される。
【００８３】
また、図１５は、本実施例における管理情報保有端末１７の構成と、その制御部２８の有する制御機能の概要を説明するブロック図である。前述の実施例においては、管理情報保有端末１７は、管理情報を記憶し、情報取得端末１６からの要求に応じてその管理情報を回線１４を介して情報取得端末１６へ送信可能であればよいとされていたが、本実施例においては、後述する機能を有するために例えば図１５に示すような構成が用いられる。
【００８４】
図１５に示すように、前記管理情報保有端末１７は、前記管理情報保有端末１７による各種制御を実行する制御部１１０と、読出専用メモリであるＲＯＭ１１２と、随時書込読出メモリであるＲＡＭ１１４と、前記回線１４を介して前記情報取得端末１６、あるいは前記情報保有端末１８との間で電話通信（通話）を行うための通信部１１６など、を備えて構成されている。
【００８５】
前記制御部１１０は、情報取得端末１６の制御部２８と同様に、前記ＲＡＭ１１４の一時記憶機能を利用しつつ前記ＲＯＭ１１２に記憶された情報に基づいて中央演算処理装置であるＣＰＵにより種々の情報処理を実行する所謂マイクロコンピュータであり、本実施例の管理情報保有端末１７の作動に関する各種制御を実行する。また、斯かる制御を行うために、制御部１１０は、通信条件・属性受信手段１２０、取得対象決定手段１２２、取得対象管理情報送信手段１２８等の制御機能を機能的に備えている。これらの制御機能については後述する。
【００８６】
前記ＲＡＭ１１４には、管理情報９２、料金テーブル９４等が記憶されている。管理情報９２は前述の実施例における管理情報と同様のものであって、取得可能な情報である画像に関する情報である。具体的には、取得可能な画像のＩＤすなわち画像ＩＤ、ファイル名、属性である地域、ファイルサイズ（写真サイズ）、解像度、および、その画像を保有する情報保有端末１８への接続方法についての情報、具体的には情報保有端末１８の電話番号についての情報や、サムネイル画像を含むものである。また、料金テーブル９４は、前記回線１４を介して電話通にを行なった場合における前記所定の課金体系が記憶されたテーブルであり、特に図示しないが、例えば通信時間および通信距離に基づいて課金額が決定できるものとされている。この料金テーブル９４は、前述の実施例において情報取得端末１６のＲＡＭ３２において記憶されていた料金テーブル８２と同様のものである。
【００８７】
以下、図１５の記載に基づいて、制御部１１０の有する機能について説明する。取得条件・属性受信手段１２０は、取得対象属性設定手段５２において設定された取得する画像の属性と、取得条件設定手段５４において設定された取得条件とを受信する。受信された属性および取得条件はＲＡＭ１１４などに一時的に記憶される。
【００８８】
取得対象決定手段１２２は、前述の実施例における取得対象決定手段５８と同様に、ＲＡＭ１１４に保存された管理情報９２から、前記取得条件・属性受信手段１２０によって受信される属性、および取得条件に基づいて、取得の対象となる情報を決定する。具体的には、取得対象決定手段１２２は、前記管理情報９２に含まれる画像のうちから、前記属性および取得条件を満たす画像の組み合わせを抽出し、取得の対象となる画像として決定する。この取得対象決定手段１２２は取得候補情報抽出手段１２４と通信条件算出手段１２６とを機能的に有している。
【００８９】
このうち、取得候補情報抽出手段１２４は、前述の実施例における取得対象情報抽出手段６０と同様に、前記管理情報９２において取得可能とされた画像のうち、前記情報取得端末１６の対象属性設定手段５２において設定され、取得条件・属性受信手段１２０において受信された属性が一致する画像を取得候補情報として抽出する。前述の実施例と同様に、前記属性としての地域が「京都府」とされると、前記管理情報において属性が「京都府」と一致する画像を取得候補情報として抽出する。なお、管理情報において取得可能とされた画像の属性と、前記取得対象属性設定手段５２において設定された属性とが一致する画像のみならず、予め定められた所定の類似度において類似する画像についても取得候補情報として抽出されるようにしてもよい。
【００９０】
通信条件算出手段１２６は、前述の実施例における通信条件算出手段６２と同様に、前記取得候補情報抽出手段１２４によって抽出された取得候補情報のそれぞれについて、情報取得端末１６が回線１４を介してその取得候補情報のそれぞれを保有する情報保有端末１８から取得した場合の通信条件を算出する。この通信条件は、前記取得候補情報のそれぞれを取得する際における課金額を含むものであり、本実施例においては前記課金額が用いられる。具体的には通信条件算出手段１２６は、前記取得候補情報のそれぞれについて、通信時間、および通信距離に応じて前記ＲＡＭ１１４に記憶された料金テーブル９４を参照して課金額を算出する。ここで前記通信時間は、前記管理情報に含まれる前記取得候補情報のそれぞれのファイルサイズと、予め既知とされている情報取得端末１６の通信部３６の通信速度（例えば５６ｋｂｐｓなど）とから算出される伝送に要する時間や、予め既知とされている通信部３６のネゴシエーションに要する時間などから算出される。また、前記通信距離は、前記情報取得端末１６のＲＡＭ３２に記憶された自端末情報７２としての情報取得端末１６の電話番号、および、前記管理情報に含まれる前記取得候補情報のそれぞれを保有する情報保有端末１８のそれぞれの電話番号の例えば市外局番などを前記料金テーブル９４に適用することなどによって得られる。このように、前記取得候補情報抽出手段１２４において取得する情報の属性が一致するとして抽出された取得候補情報のそれぞれについて、前記通信条件算出手段１２６によって取得の際における課金額が算出される。
【００９１】
なお、本実施例においても、ＲＡＭ１１４に記憶された管理情報９２について、前記取得候補情報抽出手段１２４による取得候補情報の抽出、および通信条件算出手段９４による通信条件である課金額の算出が行なわれた場合の管理情報を表わす取得候補情報テーブル７８は、例えば図７に示すように設けられる。このように作成された取得候補情報テーブル７８は、ＲＡＭ１１４に一時的に記憶される。
【００９２】
取得情報決定手段１２２はまた、前述の取得対象決定手段５８と同様に、図７のようにして得られた取得候補情報テーブル７８を参照しつつ、前記情報取得端末１６の取得条件設定手段５４において設定され、取得条件・属性受信手段１２０によって受信された取得条件を満たす画像の組み合わせを取得対象として決定する。具体的には本実施例においても前述の実施例と同様に、図５に示すように取得条件・属性テーブルに取得条件が記憶されている場合を考える。取得対象決定手段１２２は、図７の取得候補情報テーブル７８において、画質が「Ｓｔａｎｄａｒｄ」である枚数が５枚の画像を、課金額が４００円以内で取得可能な画像の組み合わせを取得対象として決定する。そして決定された画像の組み合わせについて、図８の取得対象テーブル８０のように記憶する。
【００９３】
図８は、取得情報決定手段５８によって取得対象として決定された画像の一覧を表わす取得対象テーブルの例を示す図である。この取得対象テーブルは前記ＲＡＭ１１４に一時的に記憶される。
【００９４】
取得対象管理情報送信手段１２８は、取得対象決定手段１２２によって取得対象として決定された画像についての取得対象テーブルを、情報取得端末１６に対して送信する。
【００９５】
図１６は、本実施例における情報取得端末１６および管理情報保有端末１７による取得対象の決定における制御作動にかかる制御作動の一例を説明するフローチャートである。図１６のフローチャートは、管理情報取得ルーチンとして、前述の実施例における図９のフローチャートにおけるＳ３およびＳ４として、図１０に代えて実行されうるものである。
【００９６】
まずＳＡ１１及びＳＡ２１においては、情報取得端末１６の通信部３６から管理情報保有端末１７に対し回線１４を介した通信の確立が行われる。具体的には本実施例においては回線１４は公衆電話回線であるので、管理情報保有端末１７に対応する電話番号に対し発信が行われ、情報取得端末１６と管理情報保有端末１７との間で情報の送受信が可能な状態とされる。
【００９７】
情報取得端末１６の管理情報取得指示手段１０２に対応するＳＡ１２においては、図９のＳＡ１およびＳＡ２においてそれぞれ設定された取得する画像の属性および取得条件が送信される。この送信はＳＡ１で接続が確立された回線１４が用いられる。また、これらの属性および取得条件は管理情報保有端末１７の取得条件・属性受信手段１０２によって受信される。
【００９８】
取得対象決定手段１２２の取得候補情報抽出手段１２４に対応するＳＡ２２においては、Ｓ１２において送信され管理情報保有端末１７で受信された画像の属性、すなわち取得条件・属性テーブル７４に記憶された内容に基づいて、ＲＡＭ１１４などに記憶された管理情報９２から抽出が行われる。具体的には、管理情報９２に含まれる取得可能な画像の属性が、Ｓ１２において送信され管理情報保有端末１７において受信された画像の属性と一致、もしくは所定の類似度において類似する画像のみを抽出する作業が行われる。なお、所定の類似度において類似するとは、たとえば本実施例においては、画像の属性は撮影地などを表す都道府県名であるので、隣接する、あるいは同一の地方に属する都道府県名を含む、などの例によればよい。また、属性に一般名称が用いられる場合などにおいては、表記の揺れや、同一概念の別の名称が含まれるようにすればよい。本ステップにおいて抽出された管理情報に含まれる画像が取得候補情報となる。本ステップにおいて抽出された管理情報が取得候補情報テーブルとしてＲＡＭ１１４などに一時的に記憶される。
【００９９】
取得対象決定手段１２２の通信条件算出手段１２６に対応するＳＡ２３においては、取得対象となる画像を決定するための取得対象決定ルーチンが実行される。この取得対象ルーチンにおいては、前述の実施例における図１１のフローチャートを用いて説明したものと同様の作動が行なわれる。なお、前述の実施例においてはこの取得対象ルーチンは情報取得端末１６が有する通信条件算出手段６２に対応するものであったが、本実施例においては、管理情報保有端末１７が有する通信条件算出手段１２６に対応する。本ステップにより、取得対象として決定された画像のリストである、取得対象テーブルが得られる。この取得対象テーブルが本実施例における取得対象管理情報に対応する。
【０１００】
取得対象管理情報送信手段１２８に対応するＳＡ２４においては、ＳＡ２３において作成された取得対象テーブル、すなわち取得対象管理手段が管理情報保有端末１７から情報取得端末１６に送信される。
【０１０１】
取得対象管理情報取得手段１０４に対応するＳＡ１３においては、ＳＡ２４において送信された取得対象管理情報が受信され、そのＲＡＭ３２において取得対象テーブル８０として記憶される。
【０１０２】
そして、ＳＡ１４およびＳＡ２５においては、ＳＡ１１およびＳＡ２１において確立された回線１４を介した接続が切断される。
【０１０３】
前述の実施例２によれば、前述の実施例１の効果に加え、管理情報９２は管理情報保有端末１７のＲＡＭ１１４において記憶されており、情報保有端末１７において取得対象の決定が行なわれるので、情報取得端末１６における処理を低減させることができる。
【０１０４】
以上、本発明の実施例を図面に基づいて詳細に説明したが、本発明はその他の態様においても適用される。
【０１０５】
例えば、取得対象属性設定手段５２においては、タッチパネルディスプレイを用いた属性の入力が行なわれたが、この際、図３に示すような、例えば文字列により表示された候補の一覧から選択するキャラクタによるインタフェースに代えて、図などを用いたグラフィカルインタフェースが用いられてもよい。図１７はこの一例であって、前述の実施例と同様に属性が都道府県名から選択される場合において、タッチパネルディスプレイ２６の表示装置４０に表示された日本地図において、指定したい属性の都道府県に対応する部分に接触することによりタッチパネル４２がその都道府県が選択されたことを認識するものである。
【０１０６】
また実施例１においては、管理情報保有端末１７は、管理情報を記憶し、情報取得端末１６からの要求に応じてその管理情報を回線１４を介して情報取得端末１６へ送信可能であれば、その構成を問うものではなく、情報保有端末１８は、情報を記憶し、情報取得端末１６からの要求に応じてその情報を回線１４を介して情報取得端末１６へ送信可能であれば、その構成を問うものではないとされたが、情報取得端末１６、管理情報保有端末１７、および、情報保有端末１８の３つ、あるいはいずれか２つの機能を同時に実現するような端末であってもよい。実施例２においても同様である。
【０１０７】
また前述の実施例においては情報取得端末１６や管理情報保有端末１７は情報を記憶する手段としてＲＡＭ３２、１１４が用いられたが、これに限定されず、例えばハードディスクドライブ装置などの記憶手段が用いられてもよい。
【０１０８】
また前述の実施例においては管理情報は管理情報保有端末１７に記憶されていたが、このような態様に限定されず、予め情報取得端末１６のＲＡＭ３２に記憶されているような態様も可能である。このようにすれば、管理情報保有端末１７との通信が不要になる。
【０１０９】
また前述の実施例においては、取得情報決定手段５８、１２２は、取得条件として課金額の上限、画像の枚数、画質が設定された場合において、課金額の上限を満たす範囲で設定された画質の画像を設定された枚数だけ取得するようにされたが、かかる態様に限られない。例えば、設定された画質の画像を設定された枚数だけ取得しようとすると課金額の上限を超える場合には、枚数を減少させて取得するようにしても良いし、画質を解像度の低い画像に切り換えて取得するようにしてもよい。
【０１１０】
また前述の実施例においては、画像の属性として都道府県名から選択されたが、取得する画像の属性をより的確に設定することのできる関連情報であれば、これに限定されるものではない。例えば、前記画像の撮影地などの画像に対応する地理的情報であって都道府県名以外のものであってもよいし、前記画像の撮影時期や季節などの画像に対応する時期的情報、あるいは前記画像に対して与えられた評価などの画像の評価情報であってもよい。
【０１１１】
また前述の実施例においては、通信条件算出手段６２、１２６は取得候補情報抽出手段６０、１２４によって取得候補として抽出された画像について通信条件としての課金額の算出が行なわれたが、これに限定されない。具体的には例えば、取得可能な画像として管理情報に記載された全ての画像について通信条件の算出をおこなってもよい。
【０１１２】
また前述の実施例においては、情報取得端末１６と管理情報保有端末１７との間の通信は情報取得端末１６と情報保有端末１８との通信と同様に回線１４を用いて行なわれるものとされたが、このような態様に限られない。すなわち、情報取得端末１６と管理情報保有端末１７との間の通信は通信距離や通信時間に応じて課金が行なわれる回線１４によって行なわれなくてもよく、例えばＬＡＮなどの通信網を利用して行なわれてもよい。
【０１１３】
また前述の実施例においては、情報の性質として、ｄｐｉ単位で表わされた解像度により区分された画像の画質が用いられたが、これに限定されるものではない。例えば、画質を表現する方法として図６に示すような３つの区分を用いるのに限定されるものではなく、また、ｄｐｉ以外の単位が用いられてもよい。また、画像の画質に代えて、あるいは画像の画質に加えて、ファイルサイズ（容量）や、画像の大きさ（ドット数）、圧縮度（圧縮率）等が用いられてもよい。また、本発明の情報として画像以外の電子データが用いられる場合には、画像の画質に代えて、ファイルサイズ（容量）や、画像の大きさ（ドット数）、圧縮度（圧縮率）等が用いられてもよいし、これらに代えて、あるいは加えて、その情報の性質を表現する指標が用いられることができる。
【０１１４】
また、前述の実施例においては、取得候補決定ルーチンにおいては、取得候補情報テーブルから取得候補が１件ずつ読み込まれ、その取得候補を取得対象とした場合に合計金額と指定枚数が予め設定された取得条件を満たすか否かを判断したが（図１１のＳＢ４〜１２）、このような態様に限られず、例えば、取得候補情報テーブルに含まれる取得候補から構成される画像の組み合わせを設定し、その組み合わせごとに合計金額と合計枚数を算出し、取得条件を満たす組み合わせを取得対象とするようにしてもよい。
【０１１５】
その他、一々例示はしないが、本発明はその趣旨を逸脱しない範囲内において種々の変更が加えられて実施されるものである。
【符号の説明】
【０１１６】
１４：回線
１６：情報取得端末装置
５２：取得対象属性設定手段
５４：取得条件設定手段
５８：取得対象決定手段
６４：取得手段
６０：取得候補情報抽出手段
６２：通信条件算出手段
Ｓ１：取得対象属性設定工程
Ｓ２：取得条件設定工程
Ｓ３、Ｓ４：取得対象決定工程
Ｓ５：取得工程
【図１】
2011076448.tif 000003
【図２】
2011076448.tif 000004
【図３】
2011076448.tif 000005
【図４】
2011076448.tif 000006
【図５】
2011076448.tif 000007
【図６】
2011076448.tif 000008
【図７】
2011076448.tif 000009
【図８】
2011076448.tif 000010
【図９】
2011076448.tif 000011
【図１０】
2011076448.tif 000012
【図１１】
2011076448.tif 000013
【図１２】
2011076448.tif 000014
【図１３】
2011076448.tif 000015
【図１４】
2011076448.tif 000016
【図１５】
2011076448.tif 000017
【図１６】
2011076448.tif 000018
【図１７】
2011076448.tif 000019